(57)【要約】  本発明は、後装式兵器の砲身内で砲弾（１）を支持するための装置、および砲弾を支持するための支持部材に関する。装置は、締結要素がネジで結合されるフランジ式の支持要素（５）を備えている。締結要素の周囲には、スリーブ状のクランプ要素が配設されている。両者は、砲弾（１）の尾部フィンのための溝を有している。支持部材（５）は、締結要素にネジで結合される支持要素を有しており、その頂部に、スリーブ状の支持要素が配設されている。
2011511248.tif 000002
【特許請求の範囲】
【請求項１】
後装式兵器の砲身内で砲弾を支持するための装置において、
砲尾に締結された支持部材を備え、
当該支持部材は、リムフランジを含む支持要素と、砲尾に支持要素を締結するための手段と、支持要素内に設けられ、砲弾を発砲するために砲弾の実在の雷管を点火するための点火部材と、を有し、
砲尾に支持要素を締結するための手段は、砲弾の尾部フィンのための溝と、溝の間において砲弾の尾筒に固定された顎部であって、その外表面が、少なくとも当該顎部の先端部に向かって外側に傾斜した顎部とを含むスリーブ状の締結要素を有し、
締結要素と支持要素に、互いに対して回転することにより、互いに対して軸方向位置を変えるように係合するネジ部が設けられており、
当該手段は、砲弾の尾部フィンのための溝を有し、締結要素の周囲に位置し、軸方向に、締結要素に対して移動可能なスリーブ状のクランプ要素を有し、
支持要素が締結要素の方に移動するように、締結要素に対して支持要素を回転させることにより、支持要素が、同時に、クランプ要素を同じ方向に押して、クランプ要素が、クランプ要素の顎部の外側に傾斜した表面に沿って押され、砲尾に締結要素の顎部を押圧することを特徴とする装置。
【請求項２】
締結要素の顎部に、砲弾の尾筒の方を向くチップ部が設けられ、クランプ要素が顎部に押し付けられるときに、当該顎部は、砲弾の尾筒の方に押し付けられることを特徴とする請求項１に記載の装置。
【請求項３】
締結部材の顎部のチップ部に、施条または他の類似の突出部が設けられ、当該施条または他の類似の突出部は、クランプ要素が顎部に押し付けられるときに、砲弾の尾筒に少なくとも部分的に入り込むことを特徴とする請求項２に記載の装置。
【請求項４】
締結要素の顎部の内側表面は、支持要素から離れるにつれて外側に傾斜し、顎部の内側表面に、施条または他の類似の突出部が設けられ、当該施条または他の類似の突出部は、クランプ要素が顎部に押し付けられるときに、砲弾の尾筒に少なくとも部分的に入り込むことを特徴とする請求項１に記載の装置。
【請求項５】
クランプ要素の内側表面は、少なくともその先端部において、締結要素の顎部の側で、外側に傾斜していることを特徴とする請求項１乃至４のいずれかに記載の装置。
【請求項６】
締結要素およびクランプ要素の両方の傾斜した表面は、円錐体の一部であることを特徴とする請求項５に記載の装置。
【請求項７】
締結要素の溝は、締結部材を実装している間、砲弾の尾部フィンの後面に対して固定されるように寸法付けられていることを特徴とする請求項１乃至６のいずれかに記載の装置。
【請求項８】
締結要素および支持要素は、互いに当接する場合に締結要素と支持要素との間の軸方向の移動を止める係合表面を有し、このことにより、締結要素に対するクランプ要素の位置は、実装終了時において常に同じであり、砲尾へのクランプ力は実質的に一定であることを特徴とする請求項７に記載の装置。
【請求項９】
後装式兵器の砲身内で砲弾を支持するために砲尾に締結される支持部材において、
リムフランジを含む支持要素と、
砲尾に支持要素を締結するための手段と、
支持要素内に設けられ、砲弾を発砲するために砲弾の実在の雷管を点火するための点火部材と、を備え、
砲尾に支持要素を締結するための手段は、砲弾の尾部フィンのための溝と、溝の間において砲弾の尾筒に固定された顎部であって、その外表面が、少なくとも当該顎部の先端部に向かって外側に傾斜した顎部とを含むスリーブ状の締結要素を有し、
締結要素と支持要素に、互いに対して回転することにより、互いに対して軸方向位置を変えるように係合するネジ部が設けられており、
当該手段は、砲弾の尾部フィンのための溝を有し、締結要素の周囲に位置し、軸方向に、締結要素に対して移動可能なスリーブ状のクランプ要素を有し、
支持要素が締結要素の方に移動するように、締結要素に対して支持要素を回転させることにより、支持要素が、同時に、クランプ要素を同じ方向に押して、クランプ要素が、クランプ要素の顎部の外側に傾斜した表面に沿って押され、砲尾の締結要素の顎部を押圧することを特徴とする支持部材。
【請求項１０】
締結要素の顎部は、砲弾の尾筒の方を向くチップ部を有し、クランプ要素が顎部に押し付けられるときに、当該顎部は、砲弾の尾筒の方に押し付けられることを特徴とする請求項９に記載の支持部材。
【請求項１１】
締結部材の顎部のチップ部に、施条または他の類似の突出部が設けられ、当該施条または他の類似の突出部は、砲弾の尾筒に少なくとも部分的に入り込むことを特徴とする請求項１０に記載の支持部材。
【請求項１２】
締結要素の顎部の内側表面は、支持要素から離れるにつれて外側に傾斜し、顎部の内側表面に、施条または他の類似の突出部が設けられ、当該施条または他の類似の突出部は、クランプ要素が顎部に押し付けられるときに、砲弾の尾筒に少なくとも部分的に入り込むことを特徴とする請求項９に記載の支持部材。
【請求項１３】
クランプ要素の内側表面は、少なくともその先端部において、締結要素の顎部の側で、外側に傾斜していることを特徴とする請求項９乃至１２のいずれかに記載の支持部材。
【請求項１４】
締結要素およびクランプ要素の両方の傾斜した表面は、円錐体の一部であることを特徴とする請求項１３に記載の支持部材。
【請求項１５】
締結要素の溝は、締結部材を実装している間、砲弾の尾部フィンの後面に対して固定されるように寸法付けられていることを特徴とする請求項９乃至１４のいずれかに記載の支持部材。
【請求項１６】
締結要素および支持要素は、互いに当接する場合に締結要素と支持要素との間の軸方向の移動を止める係合表面を有し、このことにより、締結要素に対するクランプ要素の位置は、実装終了時において常に同じであり、砲尾へのクランプ力は実質的に一定であることを特徴とする請求項１５に記載の支持部材。
【発明の詳細な説明】
【技術分野】
【０００１】
本発明は、後装式兵器の砲身内で砲弾を支持するための装置に関する。当該装置は、砲尾に締結された支持部材を備え、当該支持部材は、リムフランジを含む支持要素と、砲尾に支持要素を締結するための手段と、支持要素内に設けられ、砲弾を発砲するために砲弾の実在の雷管を点火するための点火部材とを有している。
【０００２】
さらに、本発明は、後装式兵器の砲身内で砲弾を支持するために砲尾に締結される支持部材に関する。当該支持部材は、リムフランジを含む支持要素と、砲尾に支持要素を締結するための手段と、支持要素内に設けられ、砲弾を発砲するために砲弾の実在の雷管を点火するための点火部材とを備えている。
【背景技術】
【０００３】
近年、迫撃砲は、可動ベース上に実装され、ある場所から別の場所へ移動可能になっている。一方で、砲床から迅速に移動させることができる。このような方法における問題は、起こり得る攻撃に対して防御するための当該ベース、すなわち車両の能力と、地上の近距離の標的を粉砕するための使い方である。重い迫撃砲が設けられた可動ベースは、通常、迫撃砲に加えて、重い防御設備を運ぶことはできない。その代わりとして、良くても、重機関銃、または類似の比較的軽いアーマチュア（armature）が設けられる程度である。このような状況の下で、車両は、通常の砲弾および迫撃砲は適さない水平または下方に向けた発砲のために迫撃砲を使用可能であることが必要となる。滑らかな砲身を有する通常の迫撃砲内の砲弾は、迫撃砲が水平方向または下方に向く場合に、砲身内を移動することができ、砲身から落下する、または砲弾が発射しない範囲に移動する。この問題は、米国特許公報５，５０３，０８０の方法により解決されている。ここでは、摩擦式のクリップ結合によって従来の砲弾の尾部に締結された支持部材／制御片が開示されている。しかしながら、このような摩擦式の結合は、十分に信頼できるものではなく、砲弾の製造公差と制御片の製造公差の両者が、締結力および安定性に変動を引き起こす。
【０００４】
国際特許出願ＦＩ９８／０００６４は、制御片が機械的ロックによって従来の砲弾の尾部に締結されるという方法を提供している。ここでは、ロック片は発砲に関連して壊される。この方法においては、砲弾と制御片との間の締結片は、砲弾が発砲された後、新しいものに取り換えられなければならない。
【発明の概要】
【０００５】
本発明の目的は、後装式迫撃砲の砲身内の所望の位置に、迫撃砲の砲弾を安全に信頼性高く維持することができると共に、あらゆる状態において信頼性高く安全な操作を可能とする装置および支持部材を提供することである。本発明の他の目的は、支持部材が、その部品を取り換える必要がなく、複数回使用することができる装置および支持部材を提供することである。
【０００６】
本発明の装置は、砲尾に支持要素を締結するための手段は、砲弾の尾部フィンのための溝と、溝の間において砲弾の尾筒に固定された顎部であって、その外表面が、少なくとも当該顎部の先端部に向かって外側に傾斜した顎部とを含むスリーブ状の締結要素を有し、締結要素と支持要素に、互いに対して回転することにより、互いに対して軸方向位置を変えるように係合するネジ部が設けられており、当該手段は、砲弾の尾部フィンのための溝を有し、締結要素の周囲に位置し、軸方向に、締結要素に対して移動可能なスリーブ状のクランプ要素を有し、支持要素が締結要素の方に移動するように、締結要素に対して支持要素を回転させることにより、同時に、クランプ要素を同じ方向に押して、クランプ要素が、クランプ要素の顎部の外側に傾斜した表面に沿って押され、砲尾に締結要素の顎部を押圧する、ことを特徴としている。
【０００７】
本発明の支持部材は、砲尾に支持要素を締結するための手段は、砲弾の尾部フィンのための溝と、溝の間において砲弾の尾筒に固定された顎部であって、その外表面が、少なくとも当該顎部の先端部に向かって外側に傾斜した顎部とを含むスリーブ状の締結要素を有し、締結要素と支持要素に、互いに対して回転することにより、互いに対して軸方向位置を変えるように係合するネジ部が設けられており、当該手段は、砲弾の尾部フィンのための溝を有し、締結要素の周囲に位置し、軸方向に、締結要素に対して移動可能なスリーブ状のクランプ要素を有し、支持要素が締結要素の方に移動するように、締結要素に対して支持要素を回転させることにより、同時に、クランプ要素を同じ方向に押して、クランプ要素が、クランプ要素の顎部の外側に傾斜された表面に沿って押され、砲尾の締結要素の顎部を押圧する、ことを特徴としている。
【０００８】
本発明の本質的な思想は、砲尾の間に突出し、十分な力で押し込むように砲尾に対して支持部材内に設けられた締結要素の顎部を押圧することによって砲尾に支持部材を締結することである。本発明の更なる本質的な思想は、締結要素の顎部を、締結要素の外側のクランプ要素で顎部を押し込むことによって砲尾に対して押し込むことであり、少なくとも締結要素、好ましくは両者が、傾斜した、好ましくは円錐体表面を有し、締結要素がクランプ要素の内側に引かれる場合に、クランプ要素の内側表面が、砲尾のシャンク（shank）に対して対応する部分で、好ましくはシャンクの内側で、最終的に、部分的に、締結要素の顎部を押圧することである。本発明の更なる他の思想は、フランジを含む支持要素の中間部において、締結要素を、両者に設けられた相互に係合するネジ部で締結部に結合し、フランジ式の支持要素を砲弾の長手方向軸の周りに回転することにより当該締付を行うことである。本発明の利点は、支持要素の回転力が毎回同じ大きさとなるように構成されているため、製造公差にかかわらず、支持部材が常に同じ力を用いて砲尾に締結され得ることである。更に、ロックは、十分に信頼することができ、支持部材は、新たな砲弾の尾部に再び押され得るまで、支持要素に対して反対方向に締結要素を回転することによって再び容易に使用される。本発明の更なる利点は、支持部材が、取り換えられることなく、または部品を追加することなく、複数回、再使用され得ることである。
【図面の簡単な説明】
【０００９】
【図１】図１は、本発明による支持部材が設けられ、迫撃砲の砲身内の砲弾を概略的に示す図。
【図２】図２は、砲尾に実装された締付前の本発明の支持要素を概略的に示す図。
【図３】図３は、砲尾に実装され、その操作位置に締め付けられた本発明の支持要素を概略的に示す図。
【図４】図４は、本発明による支持部材の締結要素およびクランプ要素を概略的に示す斜視図。
【図５】図５は、砲尾内に配置された支持要素が操作位置に締め付けられる前の、本発明による支持部材の締結要素およびクランプ要素の互いに対する位置を概略的に示す図。
【図６】図６は、本発明の他の実施の形態を概略的に示す図。
【発明を実施するための形態】
【００１０】
添付した図面により、本発明を、より詳細に説明する。全ての図において、明瞭化を目的として、同じ参照符号が、同じ部分に使用される。
【００１１】
図１は、後装式兵器、典型的には内部に砲弾２を有する迫撃砲の砲身１を示している。図２乃至５により詳細に示されている制御片５は、砲弾２の尾筒３に締結された尾部４の後方に配置されている。迫撃砲の砲身のロックとその他の詳細は、一般的に知られており、本発明には本質的に関連していないため、詳しく示されてはいない。
【００１２】
図２は、実装の初期段階で、砲弾の尾部の所望の位置に実装された本発明の支持部材の断面を概略的に示している。支持部材５は、締結要素６と、クランプ要素７と、迫撃砲の砲身に対して砲尾を支持する実在の支持要素８とを有している。
【００１３】
締結要素６は、図４および図５を用いて後述される別々の複数の顎部６ａと、砲弾の尾筒の側に位置するチップ部６ｂとを有している。チップ部６ｂは、支持要素８の方に、砲弾の後方を向く係合表面６ｃを有している。図４および図５に示すように、顎部６ａの間に、砲尾４のフィン４ａが突出可能な溝があり、砲尾と締結要素６とが、互いに対して、実質的に回転することができないようになっている。締結要素６は、更に、一体化された環状部６ｄを有し、当該環状部６ｄに顎部６ａがしっかりと結合されている。また、締結要素６は、内側ネジ部６ｅを有している。さらに、締結要素６の顎部６ａの外側表面は、環状部６ｄから顎部６ａの先端部に向かって外側に傾斜し、好ましくは、円錐状の表面の一部となっている。
【００１４】
端的には、クランプ要素７は、締結要素６の外側で、その周囲に配置された別体のスリーブとなっている。クランプ要素７は、同様に、砲弾２の方に傾斜された、好ましくは円錐状の内側表面を有している。当該内側表面は、顎部６ａの外側表面に当接するようになっている。支持部材５の実装の開始時、クランプ要素７と締結要素６の相互位置は、クランプ要素６の顎部６ａが半径方向において、互いに十分に離れるようになっており、顎部の間に砲弾の尾筒が嵌合する。図４および図５に示すように、クランプ要素７には、砲弾の尾部フィン４ａが嵌合する溝が設けられており、それにより、クランプ要素は、尾部４のフィン４ａに対して実質的に回転することができないようになっている
【００１５】
支持要素８は、迫撃砲の砲身が斜め下方に向いている場合であっても、溝によって所望の位置に、迫撃砲の砲身内に砲弾を維持するフランジ８ａを有している。さらに、支持要素８は、内側で砲尾４を固定する短い制御エッジ８ｂを有している。さらに、支持要素８の中間部には、締付部８ｃと、その外側表面に設けられたネジ部８ｄとが設けられている。ネジ部８ｄは、締結要素６の内側ネジ部６ｅに係合し、締結要素６と支持要素８を互いに対して回転することにより、共通の軸の方向の位置が、さまざまに、回転方向に依存して変化する。図２は、更に、砲弾の尾筒３内に設けられ、通常、砲弾を発砲するために使用される雷管９の部分断面を示している。図２は、更に、支持要素８内に設けられ、支持要素が砲尾内に実装された場合に、砲弾の雷管を点火させる点火部材１０を示している。点火部材の異なる他の実施の形態は、例えば、米国特許６，２５７，１４８に開示されている。砲身内に砲弾を配置させた状態で、迫撃砲の点火ピンが点火部材を打撃し、点火を砲弾の雷管に移動させて、当該雷管を点火させ、これにより、砲弾の発砲弾薬を点火する。
【００１６】
また、図２は、締結要素６内に設けられた制御ピン１１と、クランプ要素７内に設けられた溝１２とを示している。これらを用いることにより、締結要素とクランプ要素を互いに対して非回転とするロックが可能となり、このことにより、これらは、常に、互いに対して正しい位置に存在するようになる。このことにより、支持部材を実装する場合に、機械工は、所望の位置にそれらを別々に配置する必要が無くなるが、これらは、支持部材が、別々の状態で、実装している間、互いに対して正しい位置に維持される。制御ピンおよび溝の代わりに、知られた他のロック部材、例えば、施条（rifle）等の形状のロックを、締結要素とクランプ要素が互いに対して非回転とするロックのために使用しても良い。
【００１７】
図２に示す状態において、支持部材の実装が始まる。この状態において、支持要素８がネジ部に対して正しい方向に回転する場合、支持要素８は、締結要素６の方に移動し、同時に、同じ方向にクランプ要素７を押し込む。クランプ要素７が図２に示す状態において左に動き、同時に、締結要素６が適切な位置に維持されると、支持要素７の傾斜したくさび状の内側表面７ａは、半径方向における砲弾の尾筒の方に、締結要素の顎部６ａを押し、顎部のチップ部６ｂを、砲弾の尾筒の表面から内側に押し込ませる。このことが起こるのと同時に、係合表面６ｃは、締結要素の顎部をロックし、これにより、支持部材５の全体が、砲弾の尾筒３にしっかり締結される。支持要素８が十分な回数分、回転すると、図３に示す状態となり、締結要素の顎部のチップ部が砲弾の尾筒に適切に押し込まれ、締結要素６、したがってクランプ要素７に対する支持要素８の移動が防止され、支持要素８の内側表面が、両方の遠い表面で当接する。この状態において、砲弾が迫撃砲の砲身内に供給されて、発砲する準備が整う。
【００１８】
支持要素８の位置が、図３のように、正確に定められ、これにより、締結要素６に対するクランプ部材７の位置が正確に定められるため、締結要素６の顎部６ａのチップ部６ｂが、同様にして、常に、砲弾の尾筒に押圧され、その結果として、支持要素が砲弾の尾筒から引き出され得るのに必要とされる引き離し力は、常に、実質的に同じになる。このようにして、砲弾のために必要とされる出力が実質的に同じになり、このことにより、砲弾の衝撃の精度が改善される。
【００１９】
図４は、本発明による支持部材の締結要素とクランプ要素の斜視図を概略的に示している。
【００２０】
図に示すように、締結要素６は、互いに距離を置いた顎部６ａと、そこに示されたチップ部６ｂとを有している。顎部６ａの間には、溝が示されており、溝には砲弾の尾部フィンが固定されている。さらに、顎部６ａが付着された環状の一体部分６ｄが示されている。同様にして、クランプ要素７において、一体環状部分７ｂと溝が示されている。溝の間で、クランプ要素の部分が、締結要素の顎部６ａの外側表面に対して固定され、砲尾の方に締結要素を押し込んでいる。
【００２１】
図５は、砲尾へ支持部材の実装を始める場合に、締結要素６およびクランプ要素７が、尾部４およびフィン４ａに対してどのように固定されるかを示す斜視図である。また、砲尾の尾部フィン４ａが、締結要素６およびクランプ要素７の両方の溝にどのように固定されるかを示している。また、実装の初期段階において、支持要素７の溝は、砲弾の尾部フィン４ａから距離を置いて離れており、図２および図３に関連して既に述べたように、支持要素７を砲尾の方に押し込むことができるようになっている。
【００２２】
図６は、本発明の他の実施の形態を概略的に示している。ここでは、締結要素６の顎部６ａの内側が、長手方向に、外側に傾斜しており、それらの間の開口部が上方に向かって、すなわち、砲弾に向かって広がっている。さらに、顎部の内側表面、すなわち係合表面６ｃは、顎部の横方向に、溝が切られている、または、施条されている。あるいは、係合表面６ｃに、別々の突出部が設けられている。このことにより、締結要素６が尾筒３に押される場合に、顎部は、砲弾の尾筒３を把持し、尾部４の尾部フィン４ａが顎部６ａの間に留まる。また、顎部は、わずかに外方に曲げることができるように形成されている、または寸法付けられていても良い。支持要素８が締結要素６のネジ部にネジ込まれる場合、支持要素８は顎部の傾斜した上側表面に対してクランプ要素７を押す。この場合、顎部６ａは、尾筒３の外側表面に押し込まれ、内側表面の施条または突出部が、尾筒に入り込み、支持部材５を砲弾に確実に締結する。
【００２３】
砲身の長手方向において、支持要素８は、より一層短くても良く、あるいはより一層長くても良い。同様に、砲尾に対する締結要素のチップ部または突出部の位置が、砲弾が引き離された場合にその尾部が損傷することがないようになっている限り、クランプ要素７および締結要素６の長さは変えることができる。結果として締結要素の顎部の半径方向に押し込む距離が常に実質的に同じになるように支持要素８の位置を制限することは、当然のことながら、いくつかの他の方法に、例えば、締結時に支持要素８を回転する場合に一定のモーメントを与えるタイプを使用すること、またはいくつかの他の適切な方法に、置き換えられても良い。しかしながら、支持部材５の全ての部品が、複数回の発砲の間に破損することなく砲弾の発砲から生じる力に耐える材料から製造されていることは重要なことである。締結部材の顎部のチップ部６ｂに、突出部、施条、または他の類似の構造が設けられて保持力を改善する。このことにより、例えば、チップ部６ｂの尾筒側の表面を粗い歯状（toothing）に形成することは、保持力を増大し、引き離し力が必要とされる。同様に、クランプ力を一定にするために、顎部６ａの形状は、比較的緩やかに均等に広げられる、または、締結している間に顎部チップ部が砲尾内に沈む距離に少なくとも沿って同じサイズからなっている、ことは明らかである。
【００２４】
本発明の基本的な思想は、技術の進展により、様々な方法によって実施されることは、当業者にとって明らかである。結果として、本発明およびその実施の形態は、上述した例に限定されることはなく、特許請求の範囲内で変形され得る。
【図１】
2011511248.tif 000003
【図２】
2011511248.tif 000004
【図３】
2011511248.tif 000005
【図４】
2011511248.tif 000006
【図５】
2011511248.tif 000007
【図６】
2011511248.tif 000008
【国際調査報告】
2011511248.tif 000009
2011511248.tif 000010
2011511248.tif 000011